(57)【要約】【課題】住宅用窯業系外装材の不良板を利用して、安価で簡単に施工ができ、しかも外面の意匠性に富んだ花壇を形成するための土留め材の化粧コーナー材を提供するものである。【解決手段】複数の部材を連接した化粧コーナー材であって、該化粧コーナー材の上面部は略アール形状であり、各部材は上面片と外面片とからなり、該上面片は台形であることを特徴としている。そのため、非常に簡単に、しかも安価で、化粧コーナー材が得られる。また、該化粧コーナー材は、住宅用窯業系外装材を用いたものであることを特徴としている。そのため、いろいろな色、柄の選択ができ、例えば、住宅の外装と合わせてトータルな外観を選択したりすることもできる【選択図】図１
0003123559.tif 000002
【実用新案登録請求の範囲】
【請求項１】
複数の部材を連接した化粧コーナー材であって、該化粧コーナー材の上面部は略アール形状であり、各部材は上面片と外面片とからなり、該上面片は台形であることを特徴とする化粧コーナー材。
【請求項２】
前記化粧コーナー材は住宅用窯業系外装材を用いたものであることを特徴とする請求項１に記載の化粧コーナー材。
【請求項３】
前記化粧コーナー材は土留め材であることを特徴とする請求項１または請求項２に記載の化粧コーナー材。
【請求項４】
前記各部材の上面片および／または外面片には連続した表面化粧が形成されていることを特徴とする請求項１乃至３に記載の化粧コーナー材。
【考案の詳細な説明】
【技術分野】
【０００１】
本考案は、化粧材のコーナー部分、特に、花や草木などの植物の栽培場所、いわゆる花壇の土留めに使用する土留め化粧材のコーナーに用いる化粧コーナー材に関するものである。
【背景技術】
【０００２】
従来より、花、草木等の栽培には花壇が多く利用され、植え付ける植物の大きさなどの利用目的により各種のものが使い分けられている。
一般に花壇は、主に花壇として他の下地（地面、緑化のための屋上床面等）との区切りとなる土留め材と、その中に充填される土壌とからなる。
土留め材はとしては木、ブロック、煉瓦などを材料としたものが使用されている。
しかし、木の場合には雨水等により腐食が進み、長期的使用に耐えられなくなるおそれがある。
また、ブロックや煉瓦の場合は、外面の意匠に面白みが欠ける場合がある。
また、特許第３４９２７５２号にあるように、土留めの高さを高くするために、ブロックや煉瓦を互いに接合した場合は、ブロックや煉瓦の継ぎ目が見えるので、面白みに欠ける。
また、土留め材のコーナー部分については、ほとんどが、直角であり、アール形状のコーナーとしては、樹脂性のコーナー材や、煉瓦やブロックを細かく割ってアール形状を付けたりしている。
しかしながら、樹脂性のコーナー材は高価であり、また、煉瓦やブロックを細かく割ることは手間がかかる。
一方、住宅用窯業系外装材を土留め材の原料として考えてみるに、物性的にはなんの問題もないものの、端部が製造工程内の加工中などに欠けてしまい、不良板になるものがある。
例えば幅４５５ｍｍ、長さ３０３０ｍｍの大きな住宅用窯業系外装材であっても、わずか１cm角の欠けの発生ですべて不良板となったり、また、塗装仕上げ工程において色調が規格からはずれてしまうことで、不良板となったりして、もはや住宅用窯業系外装材としては使用することはできなくなってしまう。
このような不良板は土留め材として利用することが可能である。
【特許文献１】特許第３４９２７５２号公報
【考案の開示】
【考案が解決しようとする課題】
【０００３】
本考案は、係る現状に鑑みてなされたものであり、上述したような住宅用窯業系外装材の不良板を利用して、安価で簡単に施工ができ、しかも外面の意匠性に富んだ花壇を形成するための土留め材の化粧コーナー材を提供せんとするものである。
【課題を解決するための手段】
【０００４】
上記の課題を解決するために本請求項１に記載の考案に係る化粧コーナー材は、複数の部材を連接した化粧コーナー材であって、該化粧コーナー材の上面部は略アール形状であり、各部材は上面片と外面片とからなり、該上面片は台形であることを特徴としている。
そのため、非常に簡単に、しかも安価で、化粧コーナー材が得られる。
【０００５】
また、本請求項２に記載の考案に係る化粧コーナー材は、住宅用窯業系外装材を用いたものであることを特徴としている。
そのため、いろいろな色、柄の選択ができ、例えば、住宅の外装と合わせてトータルな外観を選択したりすることもできる。
【０００６】
また、請求項３に記載の考案に係る化粧コーナー材は、土留め材であることを特徴としている。
このことから、それを使用して、容易に外面の意匠性に富んだ花壇が形成できる。
【０００７】
また、請求項４に記載の考案に係る化粧コーナー材は、前記各部材の上面片および／または外面片には連続した表面化粧が形成されていることを特徴としている。
このことから、各部材の連接について違和感がなくなり、化粧コーナー材としての一体感が得られる。
【考案の効果】
【０００８】
本考案の化粧コーナー材によれば、安価で簡単に施工することができ、しかも意匠性に富んだ花壇を形成することができる。
【考案を実施するための最良の形態】
【０００９】
以下図面を用いて、本考案を実施するための最良の形態を説明する。
【実施例１】
【００１０】
図１は本考案の化粧コーナー材（１）を示した斜視図である。
図２は本考案の化粧コーナー材（１）を構成する部材（２）の一例の斜視図であり、上面片（２ａ）、外面片（２ｂ）、内面片（２ｃ）から構成されている。
図３は本考案の部材（２）の上面を示す図、図４は本考案の部材（２）の底面を示す図、図５は本考案の部材（２）の外面を示す図、図６は本考案の部材（２）の内面を示す図、図７は本考案の部材（２）の側面を示す図である。
本考案において、上面とは天地方向の天側、底面とは天地方向の地側、内面とは化粧コーナー材のアール形状の内周側、または土留めコーナー材においては、土壌を充填する側のこと、外面とは化粧コーナー材のアール形状の外周側、または土留めコーナー材においては、土壌を充填しない側のことをいう。
図１に示すように、化粧コーナー材（１）は、複数の部材（２）から形成されており、部材（２）の数は、部材（２）の幅寸法やコーナーの角度によって変わるので、一定ではない。
例えば、図１の化粧コーナー材（１）は、６つの部材（２）によって、コーナーの角度が９０°になるように設定されている。
そのほか、１２個の部材（２）でコーナーの角度が９０°になるようにしたり、１８個の部材（２）でコーナーの角度が９０°になるように設定されてもよい。
つまり、ここでの部材（２）の幅寸法を一定とし、例えば、６個の部材（２）でのコーナーのＲ（曲率半径）が５００ｍｍだとすると、１２個の部材（２）によるＲ＝１０００ｍｍとなり、さらに１８個の部材（２）によるＲ＝１５００ｍｍとなり非常になめらかで且つ大きな曲線となる。
また、化粧コーナー材（１）の表面には、各部材の上面片および／または外面片には連続した表面化粧が形成されていることが好ましい。
連続した表面化粧とは、エンボス溝や切削溝などの溝が各部材の接合面で同じ位置にある形状はもちろんのこと、明確な溝ではなくエンボスなどで横方向に縞模様を付したものや、凹凸模様が横方向に並んでいるものなど、柄として各部材の間で統一が成されている形状についても、連続した表面化粧という。
例えば、図１の化粧コーナー材（１）については、上面部に２本の連通化粧溝（４）を有しており、さらに、外面部にも各部材（２）を連通する２本の化粧溝（４）を有している。
また、図８の化粧コーナー材（１０）は、各部材（２０）の上面部や外面部に連続した横縞模様（４０）を有している。
このことから、各部材（２）の連接について違和感がなくなり、化粧コーナー材（１）としての一体感が得られる。
【００１１】
化粧コーナー材（１）は住宅用窯業系外装材の不良板から加工して形成される。
住宅用窯業系外装材として、セメントや、ケイ砂、補強繊維などを主原料として、湿式製法、乾式製法、注型製法、押出成形などで製造される、いわゆる窯業系サイディング、ガラス繊維混入セメント板、パルプ混入セメント押出成形板、木繊維混入セメントケイ酸カルシウム板、繊維混入セメントケイ酸カルシウム板、硬質木片セメント板、スラグセメントパーライト板などが利用できる。
その表面にはエンボスによる柄形成や切削による溝形成などが施され、さらに有機や無機の塗料が何重にも施された化粧表面を有しており、耐候性、耐凍性に非常にすぐれた性能を発揮する。
ところが、住宅用窯業系外装材の裏面については、施工上、下地材との間の通気や、防水シートなどの使用により防水性等を確保した条件での使用を前提としているので、化粧表面のように何重にも塗料が施されてはいない。
したがって、化粧コーナー材（１）を形成するときは、表面が外側になるように形成する。
【００１２】
連接して化粧コーナー材（１）とする各部材（２）は、図２のように断面略逆Ｕ字形状であり、上面片（２ａ）と外面片（２ｂ）と内面片（２ｃ）から形成されている。
また、片同士の連結を強固なものとするために、図７のように、上面片（２ａ）と外面片（２ｂ）と内面片（２ｃ）との間に補強のために樹脂製バンド、ステンレス薄板等を補強材（３）として接着、もしくはビス止めしてもよい。
各部材（２）の上面片（２ａ）は、外面側から内面側に向かって幅狭になるように台形になっている。
この各部材（２）の側面部分を接合することで、上面部が略アール形状の化粧コーナー材（１）を得ることができる。
【００１３】
次に、部材（２）の形成方法について説明する。
図９は、部材（２）を切り取る前の、化粧コーナー材の基板、図１０は、部材（２）を切り取るための切断面を説明した図であり、図１１は部材（２）を基板から切り取ったあとの基部材から部材（２）を切り取るための上面図、図１２は基部材から片方の側面を切り取った参考図である。
部材（２）は、上面片（２ａ）、外面片（２ｂ）、内面片（２ｃ）のそれぞれを、アール形状の角度に合わせて切断した後に接着剤等により接合して部材（２）としてもよいが、予め上面片（２ａ）、外面片（２ｂ）、内面片（２ｃ）を接着剤等により接合して部材（２）を形成してから、アール形状の角度に合わせて切断することが好ましい。
さらに、連続した表面化粧を形成するためには、図９のように、ある程度、長尺の上面、外面、内面を有する化粧コーナー材基板をまず形成し、この後、切断して、部材を形成することが好ましい。
詳しく説明すると、図１０のように、この化粧コーナー材基板をまず、β面（連続した方向に対して垂直方向）にて切断して基部材を形成する。
次に、図１１のように、傾斜のない上面片（２ａ）、外面片（２ｂ）、内面片（２ｃ）からなる基部材の上面片（２ａ）の両側面を、α面（化粧コーナー材のある一定の曲率半径になるように計算された角度を有する面）にて切断して各部材（２）を得る。
または、化粧コーナー材基板から、すべて先にβ面にて切断して基部材を形成するのではなく、化粧コーナー材基板の端から順次α面にそって切断し、部材（２）を形成してもよい。
このことから、非常に手間が簡素化されると共に部材（２）間の角度調整が簡単になる。
各片同士および部材同士の連接には接着剤が使用される。
【００１４】
次に、化粧コーナー材（１）を使用して花壇を形成する施工方法について説明する。
図１５、図１６は、コーナー部分に本考案の化粧コーナー材（１）を使用する土留め材を使用する花壇の一部を示す参考図である。
まず、地面や緑化のための屋上床面である下地の上に基材（図１５では角パイプ、図１６では中空ブロック）を接着剤等により配設する。
次に、その基材に土留め材を、接着剤等にて接着固定する。
または、あらかじめ基材と土留め材とを接着しておいて、これを下地に接着することにより配設してもよい。
そして、この土留め材のコーナー部分に、同一模様、同一断面形状の、化粧コーナー材（１）を、接着剤や目地材で施工し、一体化させる。
【実施例２】
【００１５】
図１３、図１４は、本考案に係る化粧コーナー材に使用する他の部材の実施例である。
図１３は、上面、外面、内面、底面を有する断面略ロ字形状の部材であり、図１４は、上面と外面のみの断面略Ｌ字形状の部材であり、中の基材、及び基材への取り付けが変化するだけで、基本的には実施例１と同様の構成である。
【図面の簡単な説明】
【００１６】
【図１】本考案に係る化粧コーナー材の一例を示す斜視図
【図２】本考案に係る部材の一例を示す斜視図
【図３】本考案に係る部材の上面を示す図
【図４】本考案に係る部材の底面を示す図
【図５】本考案に係る部材の外面を示す図
【図６】本考案に係る部材の内面を示す図
【図７】本考案に係る部材の側面を示す図
【図８】本考案に係る化粧コーナー材の他の例を示す斜視図
【図９】本考案に係る部材を切り出す化粧コーナー材基板を示す斜視図
【図１０】本考案に係る部材を切り出すための切断面を示す化粧コーナー材基板の斜視図
【図１１】本考案に係る部材の上面における切断面（α面）を示す参考図
【図１２】本考案に係る部材の一側面を切断面（α面）にて切断したことを示す参考図
【図１３】本考案に係る他の部材を示す斜視図
【図１４】本考案に係るさらに他の部材を示す斜視図
【図１５】本考案に係る化粧コーナー材をコーナー部分に施工する土留め板の施工を示す参考図
【図１６】本考案に係る化粧コーナー材をコーナー部分に施工する土留め板の施工を示す別の参考図
【符号の説明】
【００１７】
１、１０                        化粧コーナー材  
２、２０、２１、２２            部材
２ａ、２０ａ、２１ａ、２２ａ    上面片
２ｂ、２０ｂ、２１ｂ、２２ｂ    外面片
２ｃ、２１ｃ、                  内面片
２１ｄ                          底面片
３                              補強材
４                              連通化粧溝
４０                            連続化粧縞模様
５０                            基材
１００                          土留め板を施工した花壇
【図１】
0003123559.tif 000003
【図２】
0003123559.tif 000004
【図３】
0003123559.tif 000005
【図４】
0003123559.tif 000006
【図５】
0003123559.tif 000007
【図６】
0003123559.tif 000008
【図７】
0003123559.tif 000009
【図８】
0003123559.tif 000010
【図９】
0003123559.tif 000011
【図１０】
0003123559.tif 000012
【図１１】
0003123559.tif 000013
【図１２】
0003123559.tif 000014
【図１３】
0003123559.tif 000015
【図１４】
0003123559.tif 000016
【図１５】
0003123559.tif 000017
【図１６】
0003123559.tif 000018